(57)【特許請求の範囲】
【請求項１】
複数のオーディオ信号に対してミキシング処理を行うディジタルミキサのミキシングコンソールであって、
操作パネル上に設けられた表示部およびＰ個の操作子と、
オーディオ信号処理のための複数のチャンネルと、
前記複数のチャンネルにタイプを定義するタイプ定義手段であって、該タイプは、そのチャンネルの信号をモノラルとして利用することを指定するモノラルタイプと、そのチャンネルの信号を他の所定のチャンネルと合わせてグループ化して利用することを指定するグループタイプを、含むものと、
縮小表示または拡大表示の何れかを指示するための縮小／拡大指示手段と
を備え、
前記Ｐ個の各操作子に対して１対１で割り当てるチャンネルとパラメータと表示要素との組み合わせであって、１つの組み合わせ内のチャンネルは、そのチャンネルがモノラルタイプであるときはその１つのチャンネルとし、そのチャンネルがグループタイプであるときは、そのチャンネルとともにそのチャンネルが属するグループの他のチャンネルを含む複数のチャンネルとするような組み合わせを規定するデータを組データと呼ぶものとし、
さらに、
前記縮小表示が指示されていた場合、前記操作子毎に組データを割り当てて、合計でＰ組の組データを決定し、該Ｐ組の組データに属するＰ個の表示要素を前記表示部に表示する縮小表示割り当て手段と、
前記拡大表示が指示されていた場合、前記操作子毎にＱ組（Ｑは２以上の整数）の組データを割り当てて、合計でＰ×Ｑ組の組データを決定し、該Ｐ×Ｑ組の組データに属するＰ×Ｑ個の表示要素をＰ個を１セットにまとめてＱセットとして前記表示部に表示するとともに、該Ｑセットの中から有効な１つのセットを選択させる有効セット選択手段を含む、拡大表示割り当て手段と、
前記操作子が操作されたとき、該操作子に割り当てられたチャンネルのパラメータを該操作に応じて制御する制御手段であって、前記縮小表示が指示されていた場合は、操作された操作子に対応する組データが示すチャンネルのパラメータを該操作に応じて制御し、前記拡大表示が指示されていた場合は、その時点で有効なセットの中の操作された操作子に対応する組データが示すチャンネルのパラメータを該操作に応じて制御するとともに、縮小表示または拡大表示の何れであっても制御の対象である組データが示すチャンネルが複数チャンネルであったときには、それら複数チャンネルのパラメータを該操作に応じて連動して制御するものと
を備えることを特徴とするミキシングコンソール。
【請求項２】
請求項１に記載のミキシングコンソールにおいて、
前記縮小表示割り当て手段は、前記操作子の操作パネル上の配置に合わせた配置で、前記操作子に対応する表示要素を表示するものであり、
前記拡大表示割り当て手段は、前記各セットの表示において、前記操作子の操作パネル上の配置に合わせた配置で、前記操作子に対応する表示要素を表示するものであることを特徴とするミキシングコンソール。
【請求項３】
請求項１または２の何れか１つに記載のミキシングコンソールにおいて、
前記モノラルタイプのチャンネルが割り当てられた操作子に対応して表示される表示要素は、モノラルタイプであることを示す表示態様で表示し、前記グループタイプのチャンネルが割り当てられた操作子に対応して表示される表示要素は、グループタイプであることを示す表示態様で表示することを特徴とするミキシングコンソール。
【請求項４】
請求項１から３の何れか１つに記載のミキシングコンソールにおいて、
前記グループタイプは、ステレオまたはサラウンドのタイプを含むことを特徴とするミキシングコンソール。
【請求項５】
複数のオーディオ信号に対してミキシング処理を行うディジタルミキサのミキシングコンソールであって、
操作パネル上に設けられた表示部および複数の操作子と、
オーディオ信号処理のための複数のチャンネルと、
前記複数のチャンネルにタイプを定義するタイプ定義手段であって、該タイプは、そのチャンネルの信号をモノラルとして利用することを指定する「モノラル」と、そのチャンネルの信号を他の１つのチャンネルとペアとしステレオ信号として利用することを指定する「ステレオ」と、そのチャンネルの信号を他の所定のチャンネルと合わせてサラウンド信号として利用することを指定する「サラウンド」を、含むものと、
縮小表示または拡大表示の何れかを指示するための縮小／拡大指示手段と、
前記縮小表示が指示されたとき、前記複数の操作子に１対１で対応する表示要素を前記表示部に前記操作子の配置と同じ配置で表示するとともに、各表示要素にチャンネルを割り当てる縮小表示手段であって、前記各表示要素毎に、（１）その表示要素に割り当てるチャンネルが「モノラル」であるときは、その１つのチャンネルをその表示要素に割り当て、（２）その表示要素に割り当てるチャンネルが「ステレオ」であるときは、そのチャンネルとともにそのチャンネルとペアになる他のチャンネルを含む２チャンネルをその表示要素に割り当て、（３）その表示要素に割り当てるチャンネルが「サラウンド」であるときは、そのチャンネルとともにそのチャンネルとサラウンドのグループを組む他のチャンネルを含む複数チャンネルをその表示要素に割り当てるものと、
前記拡大表示が指示されたとき、前記複数の操作子に１対１で対応する表示要素を前記表示部に前記操作子の配置と同じ配置で表示する単位を１セットと呼ぶとき、第１セットと第２セットの２セット分の表示要素を表示するとともに、各表示要素にチャンネルを割り当てる拡大表示割り当て手段であって、（１）縮小表示の際に表示された第１番目、第２番目、第３番目、…の各表示要素を、第１番目の表示要素は２つに拡張して第１セットに配置し、第２番目の表示要素は２つに拡張して第２セットに配置し、第３番目の表示要素は２つに拡張して第１セットに配置し、第４番目の表示要素は２つに拡張して第２セットに配置し、…というように、それぞれ２つに拡張して第１セットと第２セットに順に配置していき、（２）その際、それぞれ２つに拡張した表示要素には元の縮小表示における表示要素に割り当てられたチャンネルを割り当てるものと、
前記第１セットと第２セットの何れかを有効セットに指定する有効セット指定手段と、
前記縮小表示が指示されている状態で前記操作子が操作されたとき、該操作子に対応する表示要素に割り当てられているチャンネルの所定のパラメータを該操作に応じて制御する縮小表示制御手段であって、（１）該割り当てられているチャンネルが「モノラル」であるときは、該チャンネルの所定のパラメータを制御し、（２）該割り当てられているチャンネルが「ステレオ」の２チャンネルであるときは、それら２チャンネルに係る所定のパラメータを連動して制御し、（３）該割り当てられているチャンネルが「サラウンド」の複数のチャンネルであるときは、それらの複数チャンネルに係る所定のパラメータを制御するものと、
前記拡大表示が指示されている状態で前記操作子が操作されたとき、有効セットに指定されているセット中の該操作子に対応する表示要素に割り当てられているチャンネルの所定のパラメータを該操作に応じて制御する拡大表示制御手段であって、（１）該割り当てられているチャンネルが「モノラル」であり、操作されたのが２つに拡張されたうちの第１の表示要素に対応する操作子であるときは、該チャンネルの第１のパラメータを制御し、（２）該割り当てられているチャンネルが「ステレオ」の２チャンネルであり、（２−１）操作されたのが２つに拡張されたうちの第１の表示要素に対応する操作子であるときは、それら２チャンネルに係る第１のパラメータを制御し、（２−２）操作されたのが２つに拡張されたうちの第２の表示要素に対応する操作子であるときは、それら２チャンネルに係る第２のパラメータを制御し、（３）該割り当てられているチャンネルが「サラウンド」のチャンネルであり、（３−１）操作されたのが２つに拡張されたうちの第１の表示要素に対応する操作子であるときは、該サラウンドに係るチャンネルの第１のパラメータを制御し、（３−２）操作されたのが２つに拡張されたうちの第２の表示要素に対応する操作子であるときは、該サラウンドに係るチャンネルの第２のパラメータを制御するものと
を備えることを特徴とするミキシングコンソール。
【請求項６】
請求項１から５の何れか１つに記載のミキシングコンソールにおいて、
前記各表示要素毎に切り替えボタンを設け、該切り替えボタンが操作されたときには、当該表示要素に対応する操作子で制御するパラメータを切り替えることを特徴とするミキシングコンソール。
【発明の詳細な説明】
【技術分野】
【０００１】
本発明は、音響信号を処理するミキサシステムにおいて、操作パネル上にあるノブなどの操作子の機能を適宜切り替えながらパラメータの表示や設定を便利に行うことを可能にする技術に関する。
【背景技術】
【０００２】
従来より、マイクロフォンなどの各種の音響信号源からの音響信号を入力し、ミキシング処理、効果付与処理、および音量レベル制御処理などを行い、処理後の音響信号をアンプやスピーカやレコーダなどの各種の機器に出力するミキサ装置が知られている。近年では、内部的な信号処理をディジタル処理で行うディジタルミキサが開発されている。ディジタルミキサには、ユーザが操作するコンソールと入力した信号のミキシング処理を行うミキサエンジンとを別体の装置で構成し、ケーブルで接続する形態のものと、これらを一体化した形態のものがある。
【０００３】
このようなディジタルミキサでは、操作パネル上に複数のノブ操作子（ロータリーエンコーダ）が設けられ、それらのノブ操作子に種々の機能を割り当てて各種のパラメータを変更できる。通常、チャンネル（ｃｈ）数やパラメータの種類数が多いのに対し、操作パネル上のノブ操作子の数は限られているので、ノブ操作子に割り当てるｃｈやパラメータを切り替えながら操作できるようにしている（例えば、下記非特許文献１参照）。
【０００４】
図１０（ａ）は、従来のミキシングコンソールにおけるバスの割り当て例を示す。１０２１に示すＭｉｘ１，Ｍｉｘ２，…は、それぞれ、ミキサ内部で音響信号のミキシングを行うミキシングバスを示す。１０２２は各ミキシングバスに設定された出力信号のタイプを示し、１０２３は各ミキシングバスに付けた名称を示す。例えば、Ｍｉｘ１（ミキシングバス１）には、該バスの出力をモノラル信号として使用する旨を示すタイプである「モノラル」が設定され、名称として「ＶｏＦＢ」が付けられている。Ｍｉｘ５とＭｉｘ６には、互いにペアでステレオ信号として使用する旨を示すタイプが設定され、名称として「ＦＯＨ」が付けられている。Ｍｉｘ１１〜Ｍｉｘ１６には、５．１ｃｈサラウンドのＬ，Ｒ，Ｃ，Ｌｓ，Ｒｓ，ＬＦＥの各信号として使用する旨を示すタイプが設定され、名称として「Ｒｅｃ  Ｏｕｔ」が付けられている。なお、Ｌ，Ｒ，Ｃ，Ｌｓ，Ｒｓ，ＬＦＥは、５．１ｃｈサラウンドの前側左（Ｌ）、前側右（Ｒ）、センタ（Ｃ）、後側左（Ｌｓ）、後側右（Ｒｓ）、および重低音出力のウーハ（ＬＦＥ）の各信号を表す。
【０００５】
図１０（ｂ）は、従来のミキシングコンソールにおいて、図１０（ａ）のように各ミキシングバスにタイプと名称が設定されている状況におけるノブ表示の例を示す。前提として、操作パネル上には１６個の物理的なノブ操作子が８行×２列で配置され、その近傍にはタッチパネルの表示部が設けられているものとする。操作パネル上の１６個のノブ操作子は、所定の操作により機能を切り替えて、種々のｃｈの種々のパラメータ設定に利用可能である。その際、１６個のノブ操作子に割り当てられているｃｈやパラメータを明示するために、表示部に図１０（ｂ）のような表示を行う。１００１〜１００５は、Ｍｉｘ１に関するノブ表示である。１００１はＭｉｘ１に付けた名称の表示、１００２はＭｉｘ１の出力信号（ミキシング結果）の現在のレベル値の数値表示、１００４はノブの表示、１００５はこのノブ表示がレベル値を表示していることを示すための見出し表示である。１００３は現在の設定値を示す指標であり、これにより本ノブ表示はメータの役割も果たしている。Ｍｉｘ２以降についても同様のノブ表示が為されている。
【０００６】
ペアでステレオ信号として使用するＭｉｘ５，６については、ノブ表示１００６で該ステレオ信号のトータルレベルを表示し、ノブ表示１００７でバランスを表示する。ノブ表示１００６に対応する操作パネル上のノブ操作子を操作することで、Ｍｉｘ５およびＭｉｘ６のステレオ信号の左右の各レベルがその時点のバランスを保ったまま連動して変更される。ノブ表示１００７に対応する操作パネル上のノブ操作子を操作することで、このステレオ信号のバランスが変更される。１００８は、ノブ表示１００６と１００７がペアのステレオ信号に割り当てられていることを示す表示である。１００９は、５．１ｃｈサラウンド信号が割り当てられたＭｉｘ１１〜Ｍｉｘ１６のノブ表示である。
【先行技術文献】
【非特許文献】
【０００７】
【非特許文献１】DIGITAL MIXING CONSOLE M7CL、取扱説明書、第７章SELECTED CHANNELセクションの操作、2005年、ヤマハ株式会社
【発明の概要】
【発明が解決しようとする課題】
【０００８】
図１０で説明したような従来のノブ表示および該ノブ表示に応じたノブ操作子への機能の割り当て方では、１６個のノブ操作子および対応するノブ表示で１６本のミックスバスに関するレベル等の設定を行うようになっている。しかし、例えばサラウンド信号ではＬ，Ｒ，Ｃ，Ｌｓ，Ｒｓは（その時点で設定されている相対的なバランスは保持したまま）連動してレベルの調整を行う場合が多く、その場合、１個のノブ操作子を利用すれば済み、図１０（ｂ）のようにＬ，Ｒ，Ｃ，Ｌｓ，Ｒｓの各信号に対応する５個のノブ操作子を用いる必要はない。操作パネル上のノブ操作子の数は限られているので、それらのノブ操作子を用いて、できる限り多くのバス（あるいはチャンネル）に関する制御ができるようにすることが望ましい。
【０００９】
この発明は、ミキサシステムにおいて、操作パネル上のノブ操作子へのバス（あるいはチャンネル）の割り当て方および対応するノブ表示を工夫して、限られた数のノブ操作子で多くのバス（あるいはチャンネル）に関する制御ができ、その場合のユーザの使い勝手を改善することを目的とする。
【課題を解決するための手段】
【００１３】
この目的を達成するため、請求項１に係る発明は、複数のオーディオ信号に対してミキシング処理を行うディジタルミキサのミキシングコンソールであって、操作パネル上に表示部およびＰ個の操作子を設け、複数のチャンネルにタイプを定義できるようにし、該タイプはモノラルタイプと、グループタイプを含むものとし、縮小表示または拡大表示の何れかを指示するための縮小／拡大指示手段を備えるようにする。Ｐ個の各操作子に対して１対１で割り当てるチャンネルとパラメータと表示要素との組み合わせであって、１つの組み合わせ内のチャンネルは、そのチャンネルがモノラルタイプであるときはその１つのチャンネルとし、そのチャンネルがグループタイプであるときは、そのチャンネルとともにそのチャンネルが属するグループの他のチャンネルを含む複数のチャンネルとするような組み合わせを規定するデータを組データと呼ぶものとする。縮小表示が指示されていた場合、前記操作子毎に組データを割り当てて、合計でＰ組の組データを決定し、該Ｐ組の組データに属するＰ個の表示要素を前記表示部に表示する。拡大表示が指示されていた場合、前記操作子毎にＱ組（Ｑは２以上の整数）の組データを割り当てて、合計でＰ×Ｑ組の組データを決定し、該Ｐ×Ｑ組の組データに属するＰ×Ｑ個の表示要素をＰ個を１セットにまとめてＱセットとして前記表示部に表示する。また、該Ｑセットの中から有効な１つのセットを選択させる有効セット選択手段を設ける。操作子が操作されたとき、該操作子に割り当てられたチャンネルのパラメータを該操作に応じて制御するが、前記縮小表示が指示されていた場合は、操作された操作子に対応する組データが示すチャンネルのパラメータを該操作に応じて制御し、前記拡大表示が指示されていた場合は、その時点で有効なセットの中の操作された操作子に対応する組データが示すチャンネルのパラメータを該操作に応じて制御する。また、縮小表示または拡大表示の何れであっても制御の対象である組データが示すチャンネルが複数チャンネルであったときには、それら複数チャンネルのパラメータを該操作に応じて連動して制御する。
【００１４】
請求項２に係る発明は、請求項１に記載のミキシングコンソールにおいて、縮小表示では、操作子の操作パネル上の配置に合わせた配置で前記操作子に対応する表示要素を表示し、拡大表示では、前記各セットの表示において、操作子の操作パネル上の配置に合わせた配置で前記操作子に対応する表示要素を表示する。
【００１５】
請求項３に係る発明は、請求項１または２の何れか１つに記載のミキシングコンソールにおいて、モノラルタイプのチャンネルが割り当てられた操作子に対応して表示される表示要素は、モノラルタイプであることを示す表示態様で表示し、グループタイプのチャンネルが割り当てられた操作子に対応して表示される表示要素は、グループタイプであることを示す表示態様で表示することを特徴とする。
【００１６】
請求項４に係る発明は、請求項１から３の何れか１つに記載のミキシングコンソールにおいて、前記グループタイプは、ステレオまたはサラウンドのタイプを含むことを特徴とする。
【００１７】
請求項５に係る発明は、複数のオーディオ信号に対してミキシング処理を行うディジタルミキサのミキシングコンソールであって、操作パネル上に設けられた表示部および複数の操作子と、オーディオ信号処理のための複数のチャンネルと、前記複数のチャンネルにタイプを定義するタイプ定義手段であって、該タイプは、そのチャンネルの信号をモノラルとして利用することを指定する「モノラル」と、そのチャンネルの信号を他の１つのチャンネルとペアとしステレオ信号として利用することを指定する「ステレオ」と、そのチャンネルの信号を他の所定のチャンネルと合わせてサラウンド信号として利用することを指定する「サラウンド」を、含むものと、縮小表示または拡大表示の何れかを指示するための縮小／拡大指示手段と、前記縮小表示が指示されたとき、前記複数の操作子に１対１で対応する表示要素を前記表示部に前記操作子の配置と同じ配置で表示するとともに、各表示要素にチャンネルを割り当てる縮小表示手段であって、前記各表示要素毎に、（１）その表示要素に割り当てるチャンネルが「モノラル」であるときは、その１つのチャンネルをその表示要素に割り当て、（２）その表示要素に割り当てるチャンネルが「ステレオ」であるときは、そのチャンネルとともにそのチャンネルとペアになる他のチャンネルを含む２チャンネルをその表示要素に割り当て、（３）その表示要素に割り当てるチャンネルが「サラウンド」であるときは、そのチャンネルとともにそのチャンネルとサラウンドのグループを組む他のチャンネルを含む複数チャンネルをその表示要素に割り当てるものと、前記拡大表示が指示されたとき、前記複数の操作子に１対１で対応する表示要素を前記表示部に前記操作子の配置と同じ配置で表示する単位を１セットと呼ぶとき、第１セットと第２セットの２セット分の表示要素を表示するとともに、各表示要素にチャンネルを割り当てる拡大表示割り当て手段であって、（１）縮小表示の際に表示された第１番目、第２番目、第３番目、…の各表示要素を、第１番目の表示要素は２つに拡張して第１セットに配置し、第２番目の表示要素は２つに拡張して第２セットに配置し、第３番目の表示要素は２つに拡張して第１セットに配置し、第４番目の表示要素は２つに拡張して第２セットに配置し、…というように、それぞれ２つに拡張して第１セットと第２セットに順に配置していき、（２）その際、それぞれ２つに拡張した表示要素には元の縮小表示における表示要素に割り当てられたチャンネルを割り当てるものと、前記第１セットと第２セットの何れかを有効セットに指定する有効セット指定手段と、前記縮小表示が指示されている状態で前記操作子が操作されたとき、該操作子に対応する表示要素に割り当てられているチャンネルの所定のパラメータを該操作に応じて制御する縮小表示制御手段であって、（１）該割り当てられているチャンネルが「モノラル」であるときは、該チャンネルの所定のパラメータを制御し、（２）該割り当てられているチャンネルが「ステレオ」の２チャンネルであるときは、それら２チャンネルに係る所定のパラメータを連動して制御し、（３）該割り当てられているチャンネルが「サラウンド」の複数のチャンネルであるときは、それらの複数チャンネルに係る所定のパラメータを制御するものと、前記拡大表示が指示されている状態で前記操作子が操作されたとき、有効セットに指定されているセット中の該操作子に対応する表示要素に割り当てられているチャンネルの所定のパラメータを該操作に応じて制御する拡大表示制御手段であって、（１）該割り当てられているチャンネルが「モノラル」であり、操作されたのが２つに拡張されたうちの第１の表示要素に対応する操作子であるときは、該チャンネルの第１のパラメータを制御し、（２）該割り当てられているチャンネルが「ステレオ」の２チャンネルであり、（２−１）操作されたのが２つに拡張されたうちの第１の表示要素に対応する操作子であるときは、それら２チャンネルに係る第１のパラメータを制御し、（２−２）操作されたのが２つに拡張されたうちの第２の表示要素に対応する操作子であるときは、それら２チャンネルに係る第２のパラメータを制御し、（３）該割り当てられているチャンネルが「サラウンド」のチャンネルであり、（３−１）操作されたのが２つに拡張されたうちの第１の表示要素に対応する操作子であるときは、該サラウンドに係るチャンネルの第１のパラメータを制御し、（３−２）操作されたのが２つに拡張されたうちの第２の表示要素に対応する操作子であるときは、該サラウンドに係るチャンネルの第２のパラメータを制御するものとを備えることを特徴とする。
【００１８】
請求項６に係る発明は、請求項１から５の何れか１つに記載のミキシングコンソールにおいて、前記各表示要素毎に切り替えボタンを設け、該切り替えボタンが操作されたときには、当該表示要素に対応する操作子で制御するパラメータを切り替えることを特徴とする。
【発明の効果】
【００１９】
この発明によれば、ミキサシステムにおいて、グループ化して利用することを指定するタイプが定義されたチャンネルについてはまとめて１つの操作子に割り当て、該操作子の操作に応じて連動制御するようにしているので、パネル上の操作子の数よりも多いチャンネル数の制御が可能になる。また、操作子の操作パネル上の配置に合わせた配置で、各操作子に対応する表示要素を表示するので、ユーザは各操作子の制御対象を容易に把握でき操作上の使い勝手が改善される。また、縮小表示と拡大表示とを切り替えながら操作できるようにすれば、縮小表示では必要最低限のパラメータ（グループ化された複数のチャンネルについては連動制御するパラメータ）を操作でき、必要なときのみ拡大表示して各チャンネルにおいて縮小表示のときより多くのパラメータを操作することができる。縮小表示と拡大表示とで、対応するチャンネル配置とすることができ、見易く操作もし易い。
【図面の簡単な説明】
【００２０】
【図１】実施形態のミキシングコンソールを適用したミキサシステムのハードウェア構成を示すブロック図
【図２】ミキシング処理のブロック構成図
【図３】ミキサシステムの操作パネルの一部外観図
【図４】表示部に表示されるミックスｃｈのタイプ設定画面を示す図
【図５】ノブ表示の例を示す図
【図６】ミックスｃｈに対するタイプと名称の割り当て例および縮小表示の例を示す図
【図７】縮小表示と拡大表示の切り替えおよび拡大表示の例を示す図
【図８】ノブ描画ルーチンのフローチャート
【図９】ノブ描画メモリイメージの構成図
【図１０】従来のタイプと名称の割り当て例およびノブ表示の例を示す図
【発明を実施するための形態】
【００２１】
以下、図面を用いてこの発明の実施の形態を説明する。
【００２２】
図１は、この発明の実施の形態であるミキシングコンソールを適用したミキサシステムのハードウェア構成を示すブロック図である。中央処理装置（ＣＰＵ）１０１は、このミキサシステム全体の動作を制御する処理装置である。ランダムアクセスメモリ（ＲＡＭ）１０２は、ＣＰＵ１０１が実行するプログラムのロード領域やワーク領域に使用する揮発性メモリである。リードオンリメモリ（ＲＯＭ）１０３は、ＣＰＵ１０１が実行する各種のプログラムや各種のデータなどを格納した不揮発性メモリである。操作子１０５は、操作パネル上に設けられたユーザが操作するための各種の操作子である。検出回路１０４は、操作子１０５を通信バス１１３に接続するためのインターフェースであり、操作子１０５の操作情報を検出してＣＰＵ１０１に送信する。表示部１０７は、このミキサシステムのコンソールの操作パネル上に設けられた各種の情報を表示するためのディスプレイ（ＬＣＤ）である。表示部１０７は、タッチパネルになっており、該画面上に表示したボタンを指などで触れてオン／オフするなどの操作入力を行うことができる。表示回路１０６は、表示部１０７を通信バス１１３に接続するためのインターフェースである。
【００２３】
通信Ｉ／Ｏ（入出力インターフェース）１０９は、各種の外部装置１２０と接続するためのインターフェースである。通信回路１０８は、通信Ｉ／Ｏ１０９を通信バス１２１に接続するためのインターフェースである。音声信号Ｉ／Ｏ１１１は、外部機器１２０と接続して音声（音響）信号を送受信するためのインターフェースである。音声入出力回路１１０は、信号処理回路１１２に対してディジタル音響信号の入出力を行う為のインターフェースである。信号処理回路（ＤＳＰ）１１２は、ＣＰＵ１０１の指示に基づいて各種のマイクロプログラムを実行することにより、入力したディジタル音響信号のミキシング処理、効果付与処理、および音量レベル制御処理などを行い、処理後の音響信号を出力する。なお、外部機器１２０は１つのブロックで図示しているが、複数台の装置でもよい。
【００２４】
図２は、図１のミキサシステムの主として信号処理回路１１２により実行するミキシング処理のブロック構成図である。外部機器１２０から音声信号Ｉ／Ｏ１１１および音声入出力回路１１０経由で入力した複数系統の音響信号Ｉｎ１〜ＩｎＮは、入力ｃｈ２０１−１〜２０１−Ｎに割り当てられ（任意にパッチングすることができる）、各入力ｃｈで周波数特性の調整処理やレベル制御処理が施される。各入力ｃｈの出力信号は、各ミックスバス毎に指定されたセンドレベルで各ミックスバスに出力することができる。各ミックスバスは、各入力ｃｈから入力した信号をミキシングする。ミキシング結果は、各ミックスバスに対応する出力ｃｈ２０２−１〜２０２−Ｍに入力する。出力ｃｈ２０２−１〜２０２−Ｍは、出力信号に対する周波数特性の調整処理やレベル制御処理などを施す。Ｍｉｘ１〜ＭｉｘＭは、各出力ｃｈ（すなわち各ミックスバス）からの出力信号を示す。以下では、各ミックスバスから出力ｃｈを介して出力されるまでの処理部分をミックスチャンネル（ｃｈ）と呼ぶ。Ｍｉｘ１〜ＭｉｘＭの記号は、各ミックスｃｈを示すとともに、各ミックスｃｈの出力信号を示す場合がある。後述するミックスｃｈにおけるレベルやバランスの制御は、信号処理回路１１２にそれらのパラメータ値を設定することにより実現される。
【００２５】
図３は、図１のミキサシステムの操作パネルの一部外観図を示す。操作パネル上には、タッチパネルの表示部３０１（図１の１０７）、およびノブ操作子群３０２が設けられている。ノブ操作子群３０２は、１６個の８行×２列に配置されたプッシュ操作可能なノブ３０２−１〜３０２−１６からなる。
【００２６】
図４は、所定の操作により表示部３０１に表示されるミックスｃｈのタイプ設定画面４００を示す。４０１は各ミックスｃｈを特定する見出しであり、４０２は各ミックスｃｈにタイプを設定するためのリストボックスの並びである。４０２に示す各リストボックスにおいて、ユーザが選択操作を行うことができるのは奇数番目のミックスｃｈ（以下、奇数ｃｈと呼ぶ）のみとし、偶数番目のミックスｃｈ（以下、偶数ｃｈと呼ぶ）では選択操作を行うことができない。偶数ｃｈは、その１つ前の奇数ｃｈにおける選択操作に応じて自動的に設定される。
【００２７】
奇数ｃｈに対応する４０２に示す各リストボックスでは、「Ｍｏｎｏ」「Ｓｔｅｒｅｏ」または「Ｓｕｒｒｏｕｎｄ」の中から１つを選択することができる。奇数ｃｈで「Ｍｏｎｏ」が選択されると、その奇数ｃｈとその次の偶数ｃｈに「Ｍｏｎｏ」が設定される。「Ｍｏｎｏ」は、そのミックスｃｈの出力をモノラル信号として取り扱うことを指定するものである。奇数ｃｈで「Ｓｔｅｒｅｏ」が選択されると、その奇数ｃｈに「ＳＴ．Ｌ」が、その次の偶数ｃｈに「ＳＴ．Ｒ」が、設定される。「ＳＴ．Ｌ」はそのミックスｃｈの出力をステレオのＬ側の信号として取り扱うことを指定するものであり、「ＳＴ．Ｒ」はそのミックスｃｈの出力をステレオのＲ側の信号（上記Ｌ側とペア）として取り扱うことを指定するものである。奇数ｃｈで「Ｓｕｒｒｏｕｎｄ」が選択されると、その奇数ｃｈから始まる６ｃｈに、順に、「Ｓｕｒｒｏｕｎｄ．Ｌ」「Ｓｕｒｒｏｕｎｄ．Ｃ」「Ｓｕｒｒｏｕｎｄ．Ｒ」「Ｓｕｒｒｏｕｎｄ．Ｌｓ」「Ｓｕｒｒｏｕｎｄ．Ｒｓ」「Ｓｕｒｒｏｕｎｄ．ＬＦＥ」が設定される。これらは、対応するミックスｃｈの出力を、サラウンド信号のＬ，Ｃ，Ｒ，Ｌｓ，Ｒｓ，ＬＦＥとして取り扱うことを指定するものである。なお、「Ｍｏｎｏ」をモノラルタイプと呼び、「Ｓｔｅｒｅｏ」および「Ｓｕｒｒｏｕｎｄ」のような複数ｃｈをグループ化するタイプをグループタイプと呼ぶものとする。
【００２８】
４０３に示すテキストボックスの並びは、各ミックスｃｈに任意に名称を付けるためのものである。ここではミックスｃｈ１〜１６までを図示したが、さらに多くのミックスｃｈがあるときは画面をスクロールして設定できるようになっている。ユーザは、この設定画面４００により、各ミックスｃｈのタイプおよび名称（ネーム）を設定し、ＯＫボタン４０４をオンすることでそれらの設定を確定する。キャンセルボタン４０５によりキャンセルすることもできる。
【００２９】
図５は、本実施形態のミキサシステムで表示部３０１に表示する個々のノブ表示の例を示す。図５（ａ）は、ステレオ信号のトータルレベルを表示するノブ表示（以下、「ステレオレベル表示」と呼ぶ）である。このノブ表示に対応するノブ操作子を操作することで、割り当てられたｃｈのステレオ信号のトータルレベルが調整できる。すなわち、当該ステレオ信号の左右２ｃｈの各信号レベルが、そのバランスを保持したまま、ノブ操作子の操作に応じて連動して変更される。ステレオレベル表示５０１は、このノブに割り当てられたｃｈの名称５１１、トータルレベル値の数値表示５１２、ノブの表示５１３、このノブで制御する対象がレベルであることを示す「Ｌｅｖｅｌ」の表示５１４、および切り替えボタン５１５からなる。ノブの表示５１３は、内側の枠線５１３−１、外側の枠線５１３−２、および指標５１３−３からなる。枠線を５１３−１と５１３−２のように２重とし、「Ｌｅｖｅｌ」の表示５１４とすることにより、本ノブ表示がステレオレベル表示であることを示している。指標５１３−３は、現在設定されているレベル値に応じた位置に表示される。
【００３０】
なお、モノラル信号のレベルと表示するノブ表示（以下、「モノラルレベル表示」と呼ぶ）については図示しないが、基本的には図５（ａ）と同様の表示で、ノブの表示の枠線を１重にしてモノラルレベル表示であることを示すようにする。
【００３１】
図５（ｂ）は、ステレオ信号のバランスを表示するノブ表示（以下、「ステレオバランス表示」と呼ぶ）である。このノブ表示に対応するノブ操作子を操作することで、当該ステレオ信号の左右のバランスを調整できる。ステレオバランス表示５０２は、このノブに割り当てられたｃｈの名称５２１、バランスの数値表示５２２、ノブの表示５２３、このノブで制御する対象がステレオバランスであることを示す「Ｂａｌａｎｃｅ」の表示５２４、および切り替えボタン５２５からなる。ノブの表示５２３は、内側の枠線５２３−１、外側の枠線５２３−２、および指標５２３−３からなる。内側の枠線５２３−１の内側を所定のｃｈカラーで塗りつぶし、「Ｂａｌａｎｃｅ」の表示５２４とすることにより、本ノブ表示がステレオバランス表示であることを示している。指標５１３−３は、現在設定されているステレオバランスに応じた位置に表示される。
【００３２】
図５（ｃ）は、サラウンド信号のうちＬＦＥ以外の５ｃｈの信号のトータルレベルを表示するノブ表示（以下、「サラウンドレベル（ＬＦＥ以外）表示」と呼ぶ）である。このノブ表示に対応するノブ操作子を操作することで、当該サラウンド信号（ＬＦＥ以外）のトータルレベルが調整できる。すなわち、当該サラウンド信号のうちＬ，Ｃ，Ｒ，Ｌｓ，Ｒｓの５ｃｈの各信号レベルが、その相対的なバランスを保持したまま、ノブ操作子の操作に応じて連動して変更される。サラウンドレベル（ＬＦＥ以外）表示５０３は、このノブに割り当てられたｃｈの名称５３１、トータルレベル値の数値表示５３２、ノブの表示５３３、このノブで制御する対象がサラウンドレベルであることを示す「Ｓｕｒｒｏｕｎｄ」の表示５３４、および切り替えボタン５３５からなる。ノブの表示５３３は、内側の枠線５３３−１、外側の枠線５３３−２、および指標５３３−３からなる。枠線５３３−１と５３３−２の間を所定のｃｈカラーで塗りつぶし、「Ｓｕｒｒｏｕｎｄ」の表示５３４とすることにより、本ノブ表示がサラウンドレベル（ＬＦＥ以外）表示であることを示している。指標５３３−３は、現在設定されているレベル値に応じた位置に表示される。
【００３３】
図５（ｄ）は、サラウンド信号のうちＬＦＥ信号のレベルを表示するノブ表示（以下、「サラウンドレベル（ＬＦＥ）表示」と呼ぶ）である。このノブ表示に対応するノブ操作子を操作することで、当該サラウンド信号のＬＦＥのレベルが調整できる。サラウンドレベル（ＬＦＥ）表示５０４は、このノブに割り当てられたｃｈの名称５４１、レベル値の数値表示５４２、ノブの表示５４３、このノブで制御する対象がＬＦＥのレベルであることを示す「ＬＦＥ」の表示５４４、および切り替えボタン５４５からなる。ノブの表示５４３は、内側の枠線５４３−１、外側の枠線５４３−２、および指標５４３−３からなる。枠線５４３−１と５４３−２の間を所定のｃｈカラーで塗りつぶし、「ＬＦＥ」の表示５４４とすることにより、本ノブ表示がサラウンドレベル（ＬＦＥ）表示であることを示している。指標５４３−３は、現在設定されているレベル値に応じた位置に表示される。
【００３４】
図６および図７を参照して、本実施形態のミキサシステムにおけるノブの縮小表示と拡大表示について詳しく説明する。
【００３５】
図６（ａ）は、ミックスｃｈ（ミックスバス）に対するタイプと名称の割り当て例を示す。この割り当て例は、従来技術の欄で図１０（ａ）に示したものと同じであり、図４の設定画面４００の設定例に応じたものである。この割り当て例で、従来のミキサシステムでは、１６個のノブ操作子および対応するノブ表示で１６本のミックスバスに関するレベル等の設定を行うようになっていた。これに対し、本実施形態のミキサシステムでは、以下で説明する縮小表示と拡大表示を行うことにより、図３に示した１６個のノブ操作子３０２で１６ｃｈより多いｃｈ数の操作が行える。
【００３６】
図７（ａ）は、縮小表示と拡大表示の切り替えを示す概要図である。所定の操作により、図３の１６個のノブ操作子３０２に例えばＭｉｘ１以降のミックスｃｈを割り当てる設定指示を行ったとき（あるいは、同じ意味ではあるが、図３の表示部３０１に縮小表示あるいは拡大表示でＭｉｘ１からのノブ表示を呼び出したとき）、図７（ａ）に示す縮小表示画面７０１または拡大表示画面７０２が表示される。ここでは初期状態として縮小表示画面７０１が呼び出されたとする。縮小表示画面７０１では、図３の１６個のノブ操作子３０２に対応するノブ表示７０４が表示される。１６個の各ノブ操作子３０２と表示部３０１に表示された縮小表示画面７０１内の１６個のノブ表示とは、両者とも同じ８行×２列に配置されており、対応関係が一目で把握できるようになっている。すなわち、８行×２列の配置の中で同じ位置にあるノブ操作子とノブ表示とが対応するものである。また、拡張指示ボタン７０３が表示され、該ボタン７０３をタッチすることで、拡大表示画面７０２に移行することができる。
【００３７】
拡大表示画面７０２では、８行×２列を１セットとして、２セットのノブ表示７０８と７０９が表示されるとともに、有効スイッチ７０６と７０７が表示される。初期状態では有効スイッチ７０６がオン状態で、有効スイッチ７０７がオフ状態とする。また、一方の有効スイッチをタッチすると、その有効スイッチがオン状態となり、他方の有効スイッチはオフ状態となる。有効スイッチ７０６がオン状態のときは、１６個のノブ操作子３０２と拡大表示画面７０２内の左側の１セット１６個のノブ表示７０８とが対応する。有効スイッチ７０７がオン状態のときは、１６個のノブ操作子３０２と拡大表示画面７０２内の右側の１セット１６個のノブ表示７０９とが対応する。また、縮小指示ボタン７０５が表示され、該ボタン７０５をタッチすることで、縮小表示画面７０１に移行することができる。
【００３８】
縮小表示画面７０１について詳しく説明する。図６（ｂ）は、縮小表示画面７０１内のノブ表示７０４の表示例を示す。この例は、図６（ａ）の割り当てが前提である。６１１〜６１４は、Ｍｉｘ１〜４に順に対応するモノラルレベル表示である。これらのｃｈはタイプがモノラルに設定されているので、１個のノブ操作子に１個のノブ表示が対応する。従って、これらのノブ表示６１１〜６１４にそれぞれ対応する位置のノブ操作子によってＭｉｘ１〜４のモノラル信号のレベル調整を行うことができる。
【００３９】
次のＭｉｘ５，６はタイプが互いにペアのステレオに設定されているので、縮小表示では、１個のステレオレベル表示（図５（ａ））６１５で代表させ、バランスの表示は行わない。同様に、次のＭｉｘ７，８もステレオであるので、縮小表示では、１個のステレオレベル表示６１６で代表させる。タイプがステレオのｃｈについては、ペアである２ｃｈを１個のステレオレベル表示に割り当てる（すなわち、１個のノブ操作子でステレオ信号のトータルレベルを調整できるようにし、バランスを調整するノブ操作子は割り当てない）ものとし、バランスのノブ表示は行わずに次のｃｈを前詰めで割り当てていくものとする。これにより、タイプがステレオである１ペアが出現する毎に、従来と比較して１つ分のノブ表示（すなわち１つ分のノブ操作子の割り当て）を省略できる。
【００４０】
ここで６１５や６１６のステレオレベル表示におけるノブ切り替えについて説明する。図６（ｃ）の６１５は、図６（ｂ）のステレオレベル表示６１５と同じものである。このノブ表示６１５で切り替えボタン６０６をタッチすると、このノブ表示６１５がノブ表示６３０に切り替わる。ノブ表示６３０は、図５（ｂ）で説明したステレオバランス表示である。ステレオバランス表示６３０に切り替えることにより、対応するノブ操作子で当該ステレオ信号のバランスの調整ができるようになる。ステレオバランス表示６３０の状態から切り替えボタン６３６をタッチすると、ノブ表示はステレオレベル表示６１５に戻り、再び、対応するノブ操作子で当該ステレオ信号のトータルレベルの調整ができるようになる。切り替えボタンをタッチする代わりに、当該ノブ操作子をプッシュ操作する毎に、ステレオレベル表示とステレオバランス表示とを切り替えることができるようにしてもよい（後述する切り替えボタンの操作も同様である）。なお、モノラルレベル表示の場合、切り替えボタンは表示されるが、これをタッチしても何も起こらない。
【００４１】
再び図６（ｂ）に戻って、ノブ表示６１６の次のＭｉｘ９，１０はモノラルであるので、それぞれ１つのモノラルレベル表示が為される。次のＭｉｘ１１〜１６はタイプがサラウンドに設定されているので、縮小表示では、サラウンドレベル（ＬＦＥ以外）表示（図５（ｃ））６１７とサラウンドレベル（ＬＦＥ）表示（図５（ｄ））６１８で代表させる。これにより、サラウンドレベル（ＬＦＥ以外）表示６１７に対応するノブ操作子で当該サラウンド信号のＬＦＥ以外の信号のトータルレベルを調整することができ（すなわち、ＬＦＥ以外の５ｃｈの信号についてその時点での相対的なレベル差を保持したまま連動してレベル調整する）、サラウンドレベル（ＬＦＥ）表示６１８に対応するノブ操作子で当該サラウンド信号のＬＦＥ信号のレベルを調整することができる。サラウンド信号（６ｃｈ）に対して２個のノブ表示で代表させているので、結果として従来より４つ分のノブ表示およびノブ操作子の割り当てを省略できる。
【００４２】
なお、サラウンドレベル（ＬＦＥ以外）表示６１７には切り替えボタン６０７が、サラウンドレベル（ＬＦＥ）表示６１８には切り替えボタン６０８が、それぞれ表示されるが、これらをタッチしても何も起こらない。ただし、サラウンドレベル（ＬＦＥ以外）表示６１７では、切り替えボタン６０７をタッチする毎に、トータルレベル→Ｌ→Ｃ→Ｒ→Ｌｓ→Ｒｓ→トータルレベル→…というように割り当てを切り替えて、トータルレベルに加えて各信号の個々のレベル調整を行えるようにしてもよい。
【００４３】
ノブ表示６１８の次のＭｉｘ１７以降は（図６（ａ）では図示していないが）モノラルであるので、それぞれ１つのモノラルレベル表示で表示される。結果として、１６個のノブ操作子で２２ｃｈ分（Ｍｉｘ１〜２２）の表示と制御を行うことができることになる。
【００４４】
次に、拡大表示画面７０２について詳しく説明する。図７（ｂ）は、拡大表示画面７０２内のノブ表示７０８，７０９の表示例を示す。この例は、図６（ｂ）の縮小表示画面７０１のノブ表示７０４から、拡張指示ボタン７０３をタッチすることで表示される例である。ノブ表示７０４との対応関係を述べると、図６（ｂ）のノブ表示６１１は図７（ｂ）のノブ表示７１１，７１２に拡張され、ノブ表示６１２はノブ表示７２１，７２２に拡張され、ノブ表示６１３はノブ表示７１３，７１４に拡張され、ノブ表示６１４はノブ表示７２３，７２４に拡張される。これらのノブ表示は、モノラルが設定されているＭｉｘ１〜４に対応するものであるから、拡張したノブ表示７１２，７２２，７１４，７２４は使用することはなくグレーアウト表示されるだけである。
【００４５】
ノブ表示７１１，７２１，７１３，７２３は、それぞれノブ表示６１１〜６１４と同じものであり、対応するノブ操作子によりＭｉｘ１〜４のレベルを調整することができる。ただし、有効スイッチ７０６がオン状態のときは、７０８に示す８行×２列のノブ表示が有効となるので、Ｍｉｘ１と３がノブ操作子３０２−１と３０２−３でレベル調整可能だが、Ｍｉｘ２と４はノブ操作子３０２−２と３０２−４でレベル調整することはできない。この場合、ノブ操作子３０２−２と３０２−４は操作しても何も起こらない。逆に、有効スイッチ７０７がオン状態のときは、７０９に示す８行×２列のノブ表示が有効となるので、Ｍｉｘ２と４がノブ操作子３０２−２と３０２−４でレベル調整可能だが、Ｍｉｘ１と３はノブ操作子３０２−１と３０２−３でレベル調整することはできない。この場合、ノブ操作子３０２−１と３０２−３は操作しても何も起こらない。以下で説明するステレオやサラウンドに関わるノブ表示についても同様であり、有効スイッチ７０６と７０７で、７０８側と７０９側を切り替えるものである。
【００４６】
図６（ｂ）のステレオレベル表示６１５は、図７（ｂ）のステレオレベル表示７１５とステレオバランス表示７１６に拡張される。同様に、ステレオレベル表示６１６は、ステレオレベル表示７２５とステレオバランス表示７２６に拡張される。これにより、拡張表示画面では、隣り合うノブ操作子でステレオ信号のトータルレベルとバランスが同時に調整できる。なお、ステレオレベル表示７１５やステレオバランス表示７１６には切り替えボタン７３２，７３３が表示されるが、これらはタッチしても何も起こらない。
【００４７】
図６（ｂ）のサラウンドレベル（ＬＦＥ以外）表示６１７とサラウンドレベル（ＬＦＥ）表示６１８は、図７（ｂ）のサラウンドレベル（ＬＦＥ以外）表示７１７とサラウンドレベル（ＬＦＥ）表示７１８、および、サラウンド定位表示７２７とサラウンドバランス表示７２８に拡張される。サラウンドレベル（ＬＦＥ以外）表示７１７とサラウンドレベル（ＬＦＥ）表示７１８は、それぞれサラウンドレベル（ＬＦＥ以外）表示６１７とサラウンドレベル（ＬＦＥ）表示６１８と同じものであるので、対応するノブ操作子により、当該サラウンド信号のＬＦＥ以外のｃｈのトータルレベルとＬＦＥのレベルを調整することができ、この点は縮小表示の場合と同じである。切り替えボタン７３４，７３５はタッチしても何も起こらない。サラウンド定位表示７２７は、当該サラウンド信号のＬＦＥ以外の５ｃｈのレベルに応じた定位位置（パンポジション）の表示である。白丸７３６の位置が現在の定位位置（パンポジション）を示す。サラウンド定位表示７２７の矩形表示の上辺にある上向きの三角印は左から順にＬ，Ｃ，Ｒのスピーカを、下辺の下向きの三角印は左から順にＬｓ，Ｒｓのスピーカを、それぞれ示している。サラウンドバランス表示７２８は、拡大表示画面でのみ使用するサラウンド信号のバランス調整のためのノブ表示であり、その表示態様はサラウンドレベルのノブ表示と同様である。サラウンドバランス表示７２８では、切り替えボタン７３７をタッチする毎にＦＲ（Ｆｒｏｎｔ−Ｒｅａｒ）とＬＲ（Ｌｅｆｔ−Ｒｉｇｈｔ）とを切り替えることができる。ＦＲが選択されているときに、対応するノブ操作子を操作することで、当該サラウンド信号の前後方向（フロント−リア）のバランスの調整を行うことができる。ＬＲが選択されているときに、対応するノブ操作子を操作することで、当該サラウンド信号の左右方向（レフト−ライト）のバランスの調整を行うことができる。例えば、ＬＲ（左右）方向の設定範囲はＬ６３（最も左）←→Ｃ（センター）←→Ｒ６３（最も右）と調整することができ、ＦＲ（前後）方向の設定範囲はＦ６３（最も前）←→Ｃ（センター）←→Ｒ６３（最も後ろ）と調整することができる。ノブの操作に従い、パンポジションも移動する。
【００４８】
Ｍｉｘ１７以降は、タイプがモノラルであるのでＭｉｘ１〜４と同様の拡張表示が為されている。
【００４９】
図８は、ノブ描画ルーチンのフローを示す。この処理は、ユーザによる画面呼び出し操作または設定変更の操作により、上記縮小表示画面または拡大表示画面を表示（または再表示）する必要があるときＣＰＵ１０１により実行される。ステップ８０１で、ノブ表示をすべき全ｃｈを処理したか（言い替えると、全ノブ操作子にｃｈを割り当てたか）判定し、処理済み（全ノブ操作子に割り当て済み）であれば処理を終了する。ノブ表示すべき未処理ｃｈがあるとき（言い替えると、未だｃｈを割り当てていないノブ操作子があるとき）は、ｃｈ番号が若いｃｈから順に処理対象ｃｈとし、以下のループ処理を行う。ステップ８０２で、処理対象ｃｈのタイプおよび名称（名称が付けられていない場合はｃｈ名）を、図４で説明した設定画面４００による設定情報を参照して、取得する。ステップ８０３では、処理対象ｃｈ（ステレオならペアとなるｃｈを含み、サラウンドならそれを構成するグループの他のｃｈを含む）に関して、後述するノブ描画メモリイメージにレコードを設定し、描画ルールに従って該処理対象ｃｈに対応するノブ表示を描画する。ステップ８０４で処理対象ｃｈの名称を描画し、ステップ８０５で次のｃｈに移動する。
【００５０】
図９は、ノブ描画メモリイメージの内容例を示す。ノブ描画メモリイメージは、ＲＡＭ１０２上に設けられるテーブルであり、各ノブ表示（すなわち各ノブ操作子）毎に、割り当てられたｃｈなどの情報を保持するテーブルである。Ｋｎｏｂは、縮小表示の場合のノブ表示について左上から順に付けた番号である。図６（ｂ）で言えば、Ｋｎｏｂの値は、ノブ表示６１１が「１」、ノブ表示６１２が「２」、ノブ表示６１３が「３」、…というように順番に付けられる。最後のＭｉｘ２２に対応するノブ表示が「１６」となる。ノブ表示とノブ操作子とは１対１に対応するので、Ｋｎｏｂはノブ操作子３０２−１〜３０２−１６を特定する番号でもある。ｃｈとＴｙｐｅには、当該ノブ表示（すなわち、そのノブ表示に対応するノブ操作子）に割り当てられたｃｈと当該ｃｈに設定されているタイプを格納する。なお、サラウンドのｃｈについては、ＬＦＥ以外の５ｃｈに対応するノブ表示のＴｙｐｅ欄には「Ｓｕｒｒｏｕｎｄ」と記載し、その次のＬＦＥのノブ表示のＴｙｐｅ欄には「ＬＦＥ」と記載するものとする。Ｌｅｖｅｌには、当該ｃｈの信号の現時点でのレベル値（ステレオとサラウンドはトータルレベル値）を格納する。Ｂａｌａｎｃｅは、ステレオとサラウンドのＬＥＦ以外のｃｈについてはバランス値（サラウンドについては前後方向と左右方向の２方向でのバランス値）を設定する（モノラルおよびサラウンドのＬＦＥのｃｈについては無効）。
【００５１】
ＷｉｄｅＶｉｅｗには、縮小表示での１個のノブ表示が、拡大表示したときにどのような２個に拡張されるのかを記載する。Ｔｙｐｅが「Ｍｏｎｏ」の場合、ＷｉｄｅＶｉｅｗには「Ｌｅｖｅｌ」と「−」が設定される。これは、モノラルの場合の拡張例、例えば図６（ｂ）のノブ表示６１１を図７（ｂ）のノブ表示７１１，７１２の２個に拡張することを示すデータである。Ｔｙｐｅが「Ｓｔｅｒｅｏ」の場合、ＷｉｄｅＶｉｅｗには「Ｌｅｖｅｌ」と「Ｂａｌａｎｃｅ」が設定される。これは、ステレオの場合の拡張例、例えば図６（ｂ）のノブ表示６１５を図７（ｂ）のノブ表示７１５，７１６の２個に拡張することを示すデータである。Ｔｙｐｅが「Ｓｕｒｒｏｕｎｄ」の場合、ＷｉｄｅＶｉｅｗには「Ｓｕｒｒｏｕｎｄ」と「ＬＦＥ」が設定される。これは、サラウンドの場合の拡張例、例えば図６（ｂ）のノブ表示６１７を図７（ｂ）のノブ表示７１７，７１８の２個に拡張することを示すデータである。Ｔｙｐｅが「ＬＦＥ」の場合、ＷｉｄｅＶｉｅｗには「Ｐａｎ  Ｐｏｓｉｔｉｏｎ」と「Ｂａｌａｎｃｅ」が設定される。これは、サラウンドのＬＦＥ信号の場合の拡張例、例えば図６（ｂ）のノブ表示６１８を図７（ｂ）の表示７２７，７２８の２個に拡張することを示すデータである。
【００５２】
図６（ａ）の設定を前提として図６（ｂ）の縮小表示７０４を行う場合の図８の処理を具体的に説明する。前処理として、ノブ描画メモリイメージは、Ｋｎｏｂに「１」から「「１６」が設定されている以外はすべて空欄に初期化されている。まず処理対象ｃｈをＭｉｘ１としてステップ８０２を実行し、タイプがモノラル、名称としてＶｏＦＢが設定されていることを取得する。ステップ８０３で、ノブ描画メモリイメージのＫｎｏｂの「１」のレコードにＭｉｘ１のデータをセットし、描画ルールに従ってノブ表示を行う。この場合の描画ルールとは、縮小表示でタイプがモノラルの場合のルールであり、図６（ｂ）で説明したモノラルレベル表示６１１のノブ表示を行うものである。ノブ描画メモリイメージのＫｎｏｂが「２」から「４」のノブ表示も同様に行われる。以上により、ノブ描画メモリイメージに、Ｋｎｏｂが「１」〜「４」のレコードが設定されるとともに、図６（ｂ）のノブ表示６１１〜６１４が表示され、図３のノブ操作子３０２−１〜３０２−４にそれぞれＭｉｘ１〜４が割り当てられる。
【００５３】
次に、処理対象ｃｈがＭｉｘ５の場合、ステップ８０２で、タイプがステレオ、名称がＦＯＨであることを取得する。タイプがグループタイプのステレオであるので、次のＭｉｘ６もＭｉｘ５に加えて処理対象ｃｈとする。ステップ８０３で、ノブ描画メモリイメージのＫｎｏｂの「５」のレコードにＭｉｘ５，６のデータをセットし（これは図３のノブ操作子３０２−５にＭｉｘ５，６が割り当てられたことを意味する）、描画ルールに従ってノブ表示を行う。この場合の描画ルールとは、縮小表示でタイプがステレオの場合のルールであり、要するに、ステレオ２ｃｈをノブ１つに割り当て、デフォルトとしてレベル表示とする（切り替えボタンによりバランス表示と交互に切り替え可能だが、初期状態はレベル表示とするということ）、というルールである。これにより、図６（ｂ）で説明したステレオレベル表示６１５とステレオバランス表示６１６のノブ表示が行われる。Ｍｉｘ５，６を処理したので、ステップ８０５では、次の処理対象ｃｈをＭｉｘ７としてステップ８０１に戻る。Ｍｉｘ７，８のタイプがステレオであるので、上記と同様に、ノブ描画メモリイメージにＫｎｏｂが「６」のレコードが設定される（これは図３のノブ操作子３０２−６にＭｉｘ７，８が割り当てられたことを意味する）とともに、図６（ｂ）のノブ表示６１６が表示される。次の処理対象ｃｈはＭｉｘ９となる。
【００５４】
処理対象ｃｈがＭｉｘ９の場合、モノラルであるので上記Ｍｉｘ１と同様に処理される。Ｍｉｘ１０も同様である。これにより、ノブ描画メモリイメージに、Ｋｎｏｂが「７」「８」のレコードが設定される（これは図３のノブ操作子３０２−７，３０２−８にＭｉｘ９，１０が割り当てられたことを意味する）とともに、図６（ｂ）のＭｉｘ９，１０のノブ表示が表示される。
【００５５】
次の処理対象ｃｈはＭｉｘ１１となる。この場合、ステップ８０２で、タイプがサラウンド、名称がＲｅｃＯｕｔであることを取得する。タイプがグループタイプのサラウンドであるので、Ｍｉｘ１１からの６ｃｈを合わせて処理対象ｃｈとする。ステップ８０３で、ノブ描画メモリイメージのＫｎｏｂが「９」のレコードにＭｉｘ１１〜１５（すなわちサラウンドのＬＦＥ以外の５ｃｈ）のデータをセットし（これは図３のノブ操作子３０２−９にＭｉｘ１１〜１５が割り当てられたことを意味する）、Ｋｎｏｂが「１０」のレコードにＭｉｘ１６（すなわちサラウンドのＬＦＥ）のデータをセットし（これは図３のノブ操作子３０２−１０にＭｉｘ１６が割り当てられたことを意味する）、描画ルールに従ってノブ表示を行う。この場合の描画ルールとは、縮小表示でタイプがサラウンドの場合のルールであり、要するに、Ｌ，Ｒ，Ｃ，Ｌｓ，Ｒｓをノブ１つに割り当て、ＬＦＥをノブ１つに割り当て、切り替えボタンは無効にする、というルールである。これにより、図６（ｂ）で説明したサラウンドレベル（ＬＦＥ以外）表示６１７とサラウンドレベル（ＬＦＥ）表示６１８のノブ表示が行われる。サラウンドの６ｃｈ分を処理したので、ステップ８０５では、次の処理対象ｃｈをＭｉｘ１７として、ステップ８０１に戻る。
【００５６】
Ｍｉｘ１７以降はモノラルであるので、上記のＭｉｘ１と同様に処理される。１６個のノブ表示が完了したら、ステップ８０１から処理終了となる。
【００５７】
以上の処理により、縮小表示の場合、各ノブ操作子とｃｈとパラメータの対応関係はノブ描画メモリイメージを参照すれば分かることになる。従って、何れかのノブ操作子が操作されたときには、ノブ描画メモリイメージを参照して、該操作に応じて制御すべきチャンネルのパラメータを制御することができる。
【００５８】
上記では縮小表示のノブ表示について説明したが、拡大表示の場合も同様である。拡大表示の場合、ステップ８０３でノブ描画メモリイメージのＷｉｄｅＶｉｅｗ欄に従ってノブ表示を行えばよい。具体的には、ノブ描画メモリイメージのＫｎｏｂが「１」のレコードのＷｉｄｅＶｉｅｗ欄のデータに基づいて図７（ｂ）のノブ表示７１１と７１２を表示し、次にＫｎｏｂが「２」のレコードのＷｉｄｅＶｉｅｗ欄のデータに基づいてノブ表示７２１と７２２を表示し、次にＫｎｏｂが「３」のレコードのＷｉｄｅＶｉｅｗ欄のデータに基づいてノブ表示７１３と７１４を表示し、…というようにして、ノブ描画メモリイメージの１レコードに対して２個のノブ表示を行う。描画ルールとしては、（１）モノラルの場合、レベル表示とし、２つ目のノブは使用しない、（２）ステレオの場合、レベルとバランスを表示する、（３）サラウンドの場合、２エリア（２個のノブ表示を行う領域を１エリアとする）使用し、サラウンドのトータルレベル、ＬＦＥのレベル、サラウンドの定位、および、バランスを表示し、バランスノブの切り替えボタンはＦＲ（前後）／ＬＲ（左右）を切り替えるボタンとする、というルールである。なお、縮小表示と拡大表示の選択状態は、図７（ａ）の縮小指示ボタン７０５と拡張指示ボタン７０３の操作に応じて所定のメモリエリアに書き込まれている。
【００５９】
拡大表示の場合の有効スイッチ７０６と７０７のどちらがオンされているかについても所定のメモリエリアに書き込まれているものとする。有効スイッチ７０６がオンされているときは、ノブ描画メモリイメージのＫｎｏｂが「１」「３」「５」…「１５」のレコードに対応するノブ表示（すなわち図７（ｂ）の７０８側）が有効であり、有効スイッチ７０７がオンされているときは、ノブ描画メモリイメージのＫｎｏｂが「２」「４」「６」…「１６」のレコードに対応するノブ表示（すなわち図７（ｂ）の７０９側）が有効である。従って、有効な側の何れかのノブ操作子が操作されたときには、ノブ描画メモリイメージを参照して、該操作に応じて制御すべきチャンネルのパラメータを制御することができる。
【００６０】
不図示であるが、本実施形態では、１６個のノブ操作子３０２に１対１対応でミックスｃｈ１〜１６を割り当ててレベル調整できるモード（以下「モード１」と呼ぶ）を備えている。モード１の場合のノブ表示は、上述のモノラルレベル表示を１６個並べるものとする。上記縮小表示を「モード２」とし、上記拡大表示を「モード３」としたとき、モード１〜３を任意に切り替えることができるようにしてもよい。モード１と２のみを実装して切り替えられるようにしたり、モード１と３のみを実装して切り替えられるようにしてもよい。モード２の縮小表示だけでも、１６個のノブ操作子で１６より多い数のｃｈの制御を行うことができるという効果がある。また、モード３の拡大表示だけでも、１６個のノブ操作子で１６より多い数のｃｈの制御を行うことができ、さらにステレオやサラウンドのｃｈのバランスをレベルと同時に調整できるという効果がある。
【００６１】
上記実施形態では、タイプとして「モノラル」「ステレオ」「サラウンド」の何れかを設定できるようにしたが、別のタイプを設定できるようにしてもよい。グループタイプは、複数の所定ｃｈをグループ化して利用するようなタイプであればよい。また、上記実施形態では、ノブ操作子にｃｈを割り当てる例で説明したが、ノブ操作子以外の操作子であってもよい。拡張指示ボタン７０３、縮小指示ボタン７０５、および有効スイッチ７０６，７０７は、画面上に表示したボタンとしたが、操作パネル上の物理的なスイッチを利用してもよい。
【００６２】
上記実施形態では、図７（ｂ）に示したように拡大表示画面では左側の１セット１６個のノブ表示７０８と右側の１セット１６個のノブ表示７０９とを表示し、有効スイッチ７０６，７０７でどちらのセットを有効にするかを指定したが、２セットより多くのセットを表示し、その中の１つを有効に指定するようにしてもよい。
【００６３】
上記実施形態では、図８のステップ８０３の処理の説明で縮小表示と拡大表示を説明したが、要するに、縮小表示では、１６個あるノブ操作子毎に１組の組データを割り当てて、合計で１６組の組データを決定し、該１６組の組データに属する１６個の表示要素を表示していると言える。組データとは、１６個の各操作子に対して１対１で割り当てるｃｈとパラメータと表示要素との組み合わせである。具体的には、図９のノブ描画メモリイメージの１レコードで、１個のノブに対応するｃｈとパラメータ（ここではレベル）と表示要素（タイプに応じて表示要素を決めることができる）が規定されるのでそれらを１組の組データと見ればよい。この組データでは、対応するチャンネルがモノラルタイプであるときはその１つのチャンネルとし、グループタイプであるときは、対応するチャンネルとともにそのチャンネルが属するグループの他のｃｈを含む複数のチャンネルとしている。
【００６４】
拡大表示では、１６個あるノブ操作子毎に２組の組データを割り当てて、合計で１６×２＝３２組の組データを決定し、該３２組の組データに属する３２個の表示要素を１６個を１セットにまとめて２セットとして表示している。具体的には、図９のノブ描画メモリイメージの１レコードで、１個のノブに対応するｃｈとパラメータ（ここではレベル）とＷｉｄｅＶｉｅｗ欄で決定される２つの表示要素（タイプに応じて表示要素を決めることができる）が規定されるので、それらを２組の組データと見ればよい。一般的には、ノブ操作子毎にＱ組（Ｑは２以上の整数）の組データを割り当てて、合計でＰ×Ｑ組の組データを決定し、該Ｐ×Ｑ組の組データに属するＰ×Ｑ個の表示要素をＰ個を１セットにまとめてＱセットとして表示部に表示すればよい。
【符号の説明】
【００６５】
１０１…中央処理装置（ＣＰＵ）、１０２…ランダムアクセスメモリ（ＲＡＭ）、１０３…リードオンリメモリ（ＲＯＭ）、１０４…検出回路、１０５…操作子、１０６…表示回路、１０７…表示部、１０８…通信回路、１０９…通信Ｉ／Ｏ（入出力インターフェース）、１１０…音声入出力回路、１１１…音声信号Ｉ／Ｏ、１１２…信号処理回路（ＤＳＰ）、１１３…バスライン、１２０…外部機器。
【図１】
0005510893.tif 000002
【図２】
0005510893.tif 000003
【図３】
0005510893.tif 000004
【図４】
0005510893.tif 000005
【図５】
0005510893.tif 000006
【図６】
0005510893.tif 000007
【図７】
0005510893.tif 000008
【図８】
0005510893.tif 000009
【図９】
0005510893.tif 000010
【図１０】
0005510893.tif 000011